(57)【特許請求の範囲】
【請求項１】
ブラシと、前記ブラシを保持するブラシ箱と前記ブラシ箱を固定する基板が樹脂一体成形されたブラシホルダと、整流子を有する電機子とを収納し、その内周面に前記電機子と対向して複数のマグネットを備えたフレームから構成される整流子モータにおいて、前記フレームの側面にこの整流子モータの内部へ通じる穴が設けられて、この穴へこの整流子モータの外部からの水浸入が防止されるように、前記穴を覆う壁が前記ブラシホルダに設けれれ、この壁の断面がコ字状又はＣ字状であり、このコ字状又はＣ字状の断面の開口側が前記フレーム側である構成を有して、
かつ、前記フレームの内周面に備えられた前記マグネットの動きを防止するように、前記壁が前記マグネットのスラスト長さの半分以上の位置まで延設される構成を有する整流子モータ。
【請求項２】
請求項１に記載の整流子モータを搭載した電装用機器。
【発明の詳細な説明】
【０００１】
【産業上の利用分野】
本発明は、電装用機器などに用いられる整流子モータに関するものである。
【０００２】
【従来の技術】
近年、カーエレクトロニクスの発達にともない、整流子モータを利用されることが多くなってきており、コスト低減の要望も多くなってきている。
【０００３】
以下に、従来の整流子モータについて図５、図６を参照しながら説明する。
【０００４】
図５に示すように、ブラシ１を保持するブラシ箱２と、ブラシ箱２を固定する基板３により構成されるブラシホルダがフレーム４とブラケット５にて狭み込まれ位置決め固定されている。マグネット６はフレーム４よりの第１の突起７によりスラスト方向の位置を決め、図６に示すように第２の突起８により回転方向の位置を決め、マグネット６とフレーム４の間に接着剤でマグネット６の固定を行なっている。また、マグネット６とマグネット６′の間にバネ９を入れ、マグネット６を接着剤とバネ９の２重固定する場合もある。また、モータの呼吸作用と防水作用を行なうためにドレンパイプ１２があり、ドレンパイプ１２からモータ内部への通路はストレートにつながっている。モータを固定するためにモータ内部へボルト１３を通す。
【０００５】
上記構成において通電すると、ブラシ１と整流子１０を通して電機子１１に通電することになり電機子１１が回転する。
【０００６】
【発明が解決しようとする課題】
しかしながら上記の従来の構成では、ドレンパイプ１２からモータ内部への通路がストレートであるため、直接ブラシ１や整流子１０部へ水がかかり絶縁性の問題が発生する。
【０００７】
【課題を解決するための手段】
この目的を達成するために本発明の整流子モータは、フレームの側面に内部まで通じる穴をブラシホルダに設けた外部よりの水浸入を防止するための壁により囲むように構成したものである。具体的には、ブラシと、前記ブラシを保持するブラシ箱と前記ブラシ箱を固定する基板が樹脂一体成形されたブラシホルダと、整流子を有する電機子とを収納し、その内周面に前記電機子と対向して複数のマグネットを備えたフレームから構成される整流子モータにおいて、前記フレームの側面に内部まで通じる穴を設け、前記穴は前記ブラシホルダに設けられた外部よりの水浸入を防止するための壁により囲まれる構成を有して、この壁が前記マグネットのスラスト長さの半分以上の位置までくる構成を有する整流子モータである。また、この整流子モータを搭載した電装用機器である。
【０００８】
【作用】
本発明は上記した構成により、直接水がブラシ、整流子にかからなくなり、品質向上を実現することができる。
【０００９】
【実施例】
以下本発明の一実施例について、図面を参照しながら説明する。
【００１０】
図１は本願発明の整流子モータであり、ブラシ１と、ブラシ１を保持するブラシ箱２とブラシ箱２を固定する基板３が樹脂一体成形されたブラシホルダ１４と、整流子１０を有する電機子１１とを収納し、その内周面に前記電機子と対向して複数のマグネットを備えたフレーム４から構成される。ブラシホルダ１４の位置決め固定は、フレーム４とブラケット５に狭み込まれてされている。またモータはボルト１３がブラケット５よりモータ内部を通り、相手側システム１５に固定される。
【００１１】
図１、図４（ａ）に示すように、ブラシホルダ１４はボルトが通過する穴１６の回りにボルトガイド用壁１７を有している。また、図１、図４（ｂ）に示すように、ブラシホルダ１４はドレンパイプ１２からモータ内部への通路であるフレームの側面の穴１８を囲むように外部よりの水浸入を防止するための壁２０を有している。また、図２に示すように、外部よりの水浸入を防止するための壁２０はマグネット６とマグネット６′間であってマグネット６またはマグネット６′のスラスト長さの半分以上まで圧入または挿入されている。
【００１２】
マグネット６の端面部２１においては、微小なスキマにて配置されスラスト方向の動きを防止する壁がブラシホルダ１４から出ている。
【００１３】
以上のように構成された外部よりの水浸入を防止するための壁２０はモータを固定するためのボルト１３を通すガイドとなり、ドレンパイプ１２からモータ内部までの通路をストレートではなく遮断し、かつ吸引作用もできる。また、マグネット６の動きを防止することができる。
【００１４】
このように本発明の実施例の整流子モータによればモータの組立性、品質向上、部品点数の削減をした整流子モータができる。
【００１５】
また、図３に示すようにマグネットを図３のようにＮ、Ｓ極を一体としたマグネット２３とし、デッドスペース部にＮ、Ｓ極を一体としたマグネット溝部２４を設け、Ｎ、Ｓ極を一体としたマグネット溝部２４にマグネット動き防止用壁２５を圧入または挿入してやることによりＮ、Ｓ極を一体としたマグネット２３の動きを防止することができる。
【００１６】
【発明の効果】
以上のように本発明は、フレームの側面に内部まで通じる穴を外部よりの水浸入を防止するための壁により囲むように構成したものであり、直接ブラシや整流子に水がかからなくなりモータの品質向上可能な整流子モータを実現できるものである。
【図面の簡単な説明】
【図１】本発明の一実施例のマグネットモータの片側断面図
【図２】本発明の一実施例のマグネットモータの断面図
【図３】本発明の一実施例のマグネットモータの断面図
【図４】（ａ）  本発明の一実施例におけるブラケット側ブラシホルダの平面図
（ｂ）  本発明の一実施例における電機子側ブラシホルダの平面図
【図５】従来のマグネットモータの片側断面図
【図６】従来のマグネットモータの断面図
【符号の説明】
１  ブラシ
２  ブラシ箱
３  基板
４  フレーム
５  ブラケット
６、６′  マグネット
７  第１の突起
８  第２の突起
９  マグネット押えバネ
１０  整流子
１１  電機子
１２  ドレンパイプ
１３  ボルト
１４  ブラシホルダ
１５  相手側システム
１６  ボルトが通過する穴
１７  ボルトガイド用壁
１８  フレーム側面の穴
１９  マグネット間のデッドスペース
２０  外部よりの水浸入を防止するための壁
２１  マグネットスラスト端面部
２３  Ｎ、Ｓ極を一体としたマグネット
２４  Ｎ、Ｓ極を一体としたマグネット溝部
２５  マグネット動き防止用壁
【図１】
0003751034.tif 000002
【図２】
0003751034.tif 000003
【図３】
0003751034.tif 000004
【図４】
0003751034.tif 000005
【図５】
0003751034.tif 000006
【図６】
0003751034.tif 000007